(57)【特許請求の範囲】
【請求項１】
圃場の逆転層が発生する高さに設けられ、前記圃場に風を吹き下ろす防霜ファンと、
少なくとも、前記圃場の農作物の葉面、又は前記葉面近傍の温度を検出する第１センサと、
前記逆転層が発生する高さの気温を検出する第２センサと、
前記防霜ファンの駆動源である発電機と、
前記第１センサの検出値の所定の期間の平均値および前記第２センサの検出値の所定の期間の平均値に基づいて、前記発電機を運転させる運転信号を送信する制御装置と、
前記制御装置に電力を供給するバッテリと、
を備え、
前記制御装置は、前記第１センサの検出値の所定の期間の平均値が第１設定温度よりも低く、かつ、前記第２センサの検出値の所定の期間の平均値から前記第１センサの検出値の所定の期間の平均値を減算した値が、第２設定温度よりも大きい場合に、前記運転信号を前記発電機に送信し、前記発電機から発電確立信号を受信すると、前記発電機の電力を前記防霜ファンに供給し、前記第１センサの検出値の所定の期間の平均値が、前記第１設定温度に第１の値を加算した値以上になった場合、または、前記第２センサの検出値の所定の期間の平均値から前記第１センサの検出値の所定の期間の平均値を減算した値が、前記第２設定温度から第２の値を減算した値以下になった場合に、前記発電機への前記運転信号の送信を停止する防霜装置。
【請求項２】
前記制御装置は、
前記第１センサの検出値の所定の期間の平均値に基づいて、前記圃場の農作物の生育ステージを判定し、判定した前記圃場の農作物の生育ステージに対応する前記第１設定温度を決定する請求項１に記載の防霜装置。
【請求項３】
前記制御装置は、
前記第１センサの検出値の所定の期間の平均値に基づいて判定した前記圃場の農作物の生育ステージに対応する生育限界温度に基づいて、前記第１設定温度を決定する請求項２に記載の防霜装置。
【請求項４】
前記制御装置は、
前記第１センサの検出値の１日の平均値が基準温度を超える場合に、前記基準温度と前記第１センサの検出値の１日の平均値との差分を計算し、その差分の計算開始日から本日までの累積値に基づいて、前記圃場の農作物の生育ステージを判定する請求項２又は３に記載の防霜装置。
【請求項５】
前記圃場に温度上昇用のヒータを備え、
前記制御装置は、
前記第１センサの検出値の所定の期間の平均値が前記第１設定温度よりも低く、かつ、前記第２センサの検出値の所定の期間の平均値から前記第１センサの検出値の所定の期間の平均値を減算した値が、前記第２設定温度以下である場合に、前記ヒータの運転を開始させ、前記第１センサの検出値の所定の期間の平均値が、前記第１設定温度に前記第１の値を加算した値以上になった場合、または、前記第２センサの検出値の所定の期間の平均値から前記第１センサの検出値の所定の期間の平均値を減算した値が、前記第２設定温度に前記第２の値を加算した値より大きくなった場合に、前記ヒータの運転を停止する請求項１から４のいずれか１項に記載の防霜装置。
【請求項６】
少なくとも、圃場の農作物の葉面、又は前記葉面の近傍の温度を検出する第１センサの検出値の所定の期間の平均値および前記圃場の逆転層が発生する高さの気温を検出する第２センサの検出値の所定の期間の平均値に基づいて、前記圃場の逆転層が発生する高さに設けられ、前記圃場に風を吹き下ろす防霜ファンの駆動源である発電機に、前記発電機を運転させる運転信号を送信する防霜ファン制御装置であって、
前記第１センサの検出値の所定の期間の平均値が第１設定温度よりも低く、かつ、前記第２センサの検出値の所定の期間の平均値から前記第１センサの検出値の所定の期間の平均値を減算した値が、第２設定温度よりも大きい場合に、前記運転信号を前記発電機に送信し、前記発電機から発電確立信号を受信すると、前記発電機の電力を前記防霜ファンに供給し、前記第１センサの検出値の所定の期間の平均値が、前記第１設定温度に第１の値を加算した値以上になった場合、または、前記第２センサの検出値の所定の期間の平均値から前記第１センサの検出値の所定の期間の平均値を減算した値が、前記第２設定温度から第２の値を減算した値以下になった場合に、前記発電機への前記運転信号の送信を停止する防霜ファン制御装置。
【請求項７】
少なくとも、圃場の農作物の葉面、又は前記葉面近傍の温度を検出する第１センサの検出値の所定の期間の平均値および前記圃場の逆転層が発生する高さの気温を検出する第２センサの検出値の所定の期間の平均値に基づいて、前記圃場の逆転層が発生する高さに設けられ、前記圃場に風を吹き下ろす防霜ファンの駆動源である発電機に前記発電機を運転させる運転信号を送信する防霜ファン制御装置が実行する防霜ファン制御方法であって、
前記第１センサの検出値の所定の期間の平均値が第１設定温度よりも低く、かつ、前記第２センサの検出値の所定の期間の平均値から前記第１センサの検出値の所定の期間の平均値を減算した値が、第２設定温度よりも大きい場合に、前記運転信号を前記発電機に送信するステップと、
前記発電機から発電確立信号を受信するステップと、
前記発電機の電力を前記防霜ファンに供給するステップと、
前記第１センサの検出値の所定の期間の平均値が、前記第１設定温度に第１の値を加算した値以上になった場合、または、前記第２センサの検出値の所定の期間の平均値から前記第１センサの検出値の所定の期間の平均値を減算した値が、前記第２設定温度から第２の値を減算した値以下になった場合に、前記発電機への前記運転信号の送信を停止するステップと、
を備える防霜ファン制御方法。
【発明の詳細な説明】
【技術分野】
【０００１】
本発明は、防霜装置、防霜ファン制御装置および防霜ファン制御方法に関する。
【背景技術】
【０００２】
一般的に、防霜ファンの駆動源には、例えば、送電線からの電力等の外部電源が利用される。しかしながら、霜害が発生しやすい農作物の産地は、山間地のような外部電源の確保が難しい場所も多い。発電機を備える防霜装置としては、例えば、特許文献１の特開２００８−６１５２６号公報、および、特許文献２の特開平１１−５６１２６号公報に記載の防霜装置が挙げられる。但し、これらの発明は、発電機を付帯的に備え、防霜ファンの非使用時に風力発電を行い、防霜装置を風力発電機として副次的に利用するものである。
【先行技術文献】
【特許文献】
【０００３】
【特許文献１】特開２００８−６１５２６号公報
【特許文献２】特開平１１−５６１２６号公報
【発明の概要】
【発明が解決しようとする課題】
【０００４】
特許文献１および特許文献２に記載の防霜装置が備える発電機は、防霜ファンの駆動源として利用するものではないので、これらの発明は、外部電源の確保が難しい場所で防霜ファンを使用可能にすることはできない。【０００５】
本発明は、上記の事情に鑑みてなされたものであり、外部電源の確保が難しい場所でも防霜ファンを使用可能にする防霜装置、防霜ファン制御装置および防霜ファン制御方法を提供することを目的とする。
【課題を解決するための手段】
【０００６】
上記目的を達成するため、本発明の第１の観点に係る防霜装置は、圃場の逆転層が発生する高さに設けられ、圃場に風を吹き下ろす防霜ファンと、少なくとも、圃場の農作物の葉面、又は葉面近傍の温度を検出する第１センサと、逆転層が発生する高さの気温を検出する第２センサと、防霜ファンの駆動源である発電機と、第１センサの検出値の所定の期間の平均値および第２センサの検出値の所定の期間の平均値に基づいて、発電機を運転させる運転信号を送信する制御装置と、制御装置に電力を供給するバッテリと、を備え、制御装置は、第１センサの検出値の所定の期間の平均値が第１設定温度よりも低く、かつ、第２センサの検出値の所定の期間の平均値から第１センサの検出値の所定の期間の平均値を減算した値が、第２設定温度よりも大きい場合に、運転信号を発電機に送信し、発電機から発電確立信号を受信すると、発電機の電力を防霜ファンに供給し、第１センサの検出値の所定の期間の平均値が、第１設定温度に第１の値を加算した値以上になった場合、または、第２センサの検出値の所定の期間の平均値から第１センサの検出値の所定の期間の平均値を減算した値が、第２設定温度から第２の値を減算した値以下になった場合に、発電機への運転信号の送信を停止する。
【０００７】
制御装置は、第１センサの検出値に基づいて、圃場の農作物の生育ステージを判定し、判定した圃場の農作物の生育ステージに対応する第１設定温度を決定してもよい。
【０００８】
制御装置は、第１センサの検出値に基づいて判定した圃場の農作物の生育ステージに対応する生育限界温度に基づいて、第１設定温度を決定してもよい。【０００９】
制御装置は、第１センサの検出値の１日の平均値が基準温度を超える場合に、基準温度と第１センサの検出値の１日の平均値との差分を計算し、その差分の計算開始日から本日までの累積値に基づいて、圃場の農作物の生育ステージを判定してもよい。【００１１】
圃場に温度上昇用のヒータを備え、制御装置は、第１センサの検出値が第１設定温度よりも低く、かつ、第２センサの検出値から第１センサの検出値を減算した値が、第２設定温度以下である場合に、ヒータの運転を開始させ、第１センサの検出値が、第１設定温度に第１の値を加算した値以上になった場合、または、第２センサの検出値から第１センサの検出値を減算した値が、第２設定温度に第２の値を加算した値より大きくなった場合に、ヒータの運転を停止してもよい。
【００１２】
本発明の第２の観点に係る防霜ファン制御装置は、少なくとも、圃場の農作物の葉面、又は葉面の近傍の温度を検出する第１センサの検出値および圃場の逆転層が発生する高さの気温を検出する第２センサの検出値に基づいて、圃場の逆転層が発生する高さに設けられ、圃場に風を吹き下ろす防霜ファンの駆動源である発電機に、発電機を運転させる運転信号を送信する防霜ファン制御装置であって、第１センサの検出値が第１設定温度よりも低く、かつ、第２センサの検出値から第１センサの検出値を減算した値が、第２設定温度よりも大きい場合に、運転信号を発電機に送信し、発電機から発電確立信号を受信すると、発電機の電力を防霜ファンに供給し、第１センサの検出値が、第１設定温度に第１の値を加算した値以上になった場合、または、第２センサの検出値から第１センサの検出値を減算した値が、第２設定温度から第２の値を減算した値以下になった場合に、発電機への運転信号の送信を停止する。
【００１３】
本発明の第３の観点に係る防霜ファン制御方法は、圃場の逆転層が発生する高さに設けられ、圃場に風を吹き下ろす防霜ファン、少なくとも、圃場の農作物の葉面、又は葉面近傍の温度を検出する第１センサ、逆転層が発生する高さの気温を検出する第２センサ、防霜ファンの電源である発電機、第１センサの検出値および第２センサの検出値に基づいて、発電機に発電機を運転させる運転信号を送信する制御装置、および、制御装置に電力を供給するバッテリ、を備える防霜装置が実行する防霜ファン制御方法であって、第１センサの検出値が第１設定温度よりも低く、かつ、第２センサの検出値から第１センサの検出値を減算した値が、第２設定温度よりも大きい場合に、運転信号を発電機に送信するステップと、発電機から発電確立信号を受信するステップと、発電機の電力を防霜ファンに供給するステップと、第１センサの検出値が、第１設定温度に第１の値を加算した値以上になった場合、または、第２センサの検出値から第１センサの検出値を減算した値が、第２設定温度から第２の値を減算した値以下になった場合に、発電機への運転信号の送信を停止するステップと、を備える。
【発明の効果】
【００１４】
本発明によれば、外部電源の確保が難しい場所でも防霜ファンが使用可能になる。
【図面の簡単な説明】
【００１５】
【図１】本発明の実施の形態１に係る防霜装置および圃場の模式図である。
【図２】実施の形態１に係る制御装置の機能構成例を示す図である。
【図３】実施の形態１に係る制御装置による防霜ファンの電源制御を説明する模式図である。
【図４】実施の形態１に係る生育ステージ情報の一例を示す図である。
【図５】実施の形態１に係る生育限界温度情報の一例を示す図である。
【図６】実施の形態１に係る生育ステージ判定処理を示すフローチャートである。
【図７】実施の形態１に係る発電機制御処理を示すフローチャートである。
【図８】本発明の実施の形態２に係る防霜装置および圃場の模式図である。
【図９】実施の形態２に係る制御装置の機能構成例を示す図である。
【図１０】実施の形態２に係る発電機制御処理を示すフローチャートである。
【図１１】本発明の実施の形態３に係る防霜装置および圃場の模式図である。
【図１２】実施の形態３に係る制御装置の機能構成例を示す図である。
【図１３】実施の形態３に係る発電機ヒータ制御処理を示すフローチャートである。
【発明を実施するための形態】
【００１６】
以下、図面を参照して、本発明の実施の形態に係る防霜装置、防霜ファン制御装置および防霜ファン制御方法について詳細に説明する。なお、図中、同一又は相当する部分には、同じ符号を付す。
【００１７】
（実施の形態１）
図１は、本発明の実施の形態１に係る防霜装置１−１および圃場の模式図である。防霜装置１−１は、圃場の建柱１００と、建柱１００の上端部に設けられた防霜ファン１１と、圃場に設けられた温度センサ１２と、建柱１００の下部に設けられた制御装置１４と、圃場に設けられた発電機１５と、建柱１００の上部に設けられた太陽光パネル１６と、で構成される。
【００１８】
防霜ファン１１は、建柱１００の上端部の逆転層Ｘの発生する高さに設けられる。防霜ファン１１は、発電機１５からの電力で回転して逆転層Ｘの暖気を圃場の農作物Ａが含まれる範囲に吹き下ろす。防霜ファン１１は、モータ、首振り機構、俯角機構などを備える。防霜ファン１１は、発電機１５からの電力が供給されると回転し、発電機１５からの電力の供給が停止されると回転を停止する。
【００１９】
温度センサ１２は、農作物Ａの葉面、又は葉面近傍の温度を検出する。温度センサ１２を設置する位置は、農作物Ａの葉面の位置によって変更するとよい。温度センサ１２は、農作物Ａの葉面、又は葉面近傍の温度の測定値の１日の平均値を計算する。以下、温度センサ１２の測定値の１日の平均値を低所平均温度という。温度センサ１２は、低所平均温度を検出値として制御装置１４に送信する。なお、温度センサ１２は測定値を制御装置１４に送信し、制御装置１４が１日の平均値を計算する処理を行ってもよい。温度センサ１２は、例えば、防霜ファン１１の風、及び／又は、自然風の影響を受けない位置に設ける。温度センサ１２は、本発明における第１センサの例である。
【００２０】
農作物には、植物体温が当該温度下に一定時間置かれた場合に、被害がわずかでも発生するおそれがある生育限界温度という指標があることが知られている。農作物の種類や生育ステージによって生育限界温度の値は異なる。制御装置１４は、この指標を用いて防霜ファン１１を運転するか否かを判定する。
【００２１】
制御装置１４は、温度センサ１２の検出値である低所平均温度から農作物Ａの生育ステージを判定する。制御装置１４は、農作物Ａの種類および農作物Ａの生育ステージから、農作物Ａの生育限界温度を特定する。制御装置１４は、農作物Ａの生育限界温度に基づいて、防霜ファン１１を運転するか否かを判定するための第１設定温度を決定する。第１設定温度は、生育限界温度よりも高い温度にする。制御装置１４は、低所平均温度＜第１設定温度の場合、発電機１５を起動して防霜ファン１１の運転を開始する。制御装置１４は、低所平均温度≧第１設定温度＋γになると、発電機１５を停止して防霜ファン１１の運転を停止する。γは０以上の任意の値である。
【００２２】
防霜ファン１１の稼働制御の一例を以下に示す。制御装置１４は、低所平均温度が第１設定温度より低いとき、発電機１５に運転を指示する運転信号を送信する。運転信号は発電機１５に連続的に送信される。この信号を受けた発電機１５は起動し、安定して電力が供給できる状態になると、発電確立信号を制御装置１４に送信する。安定して電力が供給できる状態の間、発電確立信号は制御装置１４に連続的に送信される。制御装置１４は、発電確立信号を受信すると、発電機１５の電磁開閉器をＯＮにし、防霜ファン１１に発電機１５の電力を供給する。防霜ファン１１は、電力が供給されると運転を開始する。防霜ファン１１が複数ある場合には、始動電流の増大を防ぐために、制御装置１４が時間差で、順次、防霜ファン１１の運転を開始するように指令する構成としてもよい。
【００２３】
防霜ファン１１の停止制御の一例を以下に示す。制御装置１４が、低所平均温度が第１設定温度＋γ以上になると、発電機１５への運転信号の送信を停止する。発電機１５は、運転信号を受信しなくなると停止する。制御装置１４は、発電機１５の電磁開閉器をＯＦＦにし、防霜ファン１１への電力供給を停止する。防霜ファン１１は、電力供給が停止されると運転を停止する。
【００２４】
制御装置１４は、太陽光を利用して太陽光パネル１６で発電した電気を充電したバッテリ（蓄電池）１８から駆動電力を得る。制御装置１４の電源は、太陽光パネル１６で発電した電気に限らず、単独のバッテリを備えてもよいし、発電機１５が備えるセルモータ起動用のバッテリから駆動電力を得てもよい。
【００２５】
太陽光パネル１６で発電した電気を制御装置１４の電源とする場合、バッテリをユーザが充電する必要がない。また、バッテリ１８を建柱１００の上部に設ければ、盗難防止になる。単独のバッテリを制御装置１４の電源とする場合、電圧低下時にユーザが充電する。セルモータ起動用のバッテリを制御装置１４の電源とする場合、発電機１５の定期点検時に動作させてバッテリに充電する時間が必要である。
【００２６】
図１には、建柱１００、防霜ファン１１、温度センサ１２、制御装置１４、発電機１５および太陽光パネル１６を１つずつ備える防霜装置１−１を記載しているが、これらの構成要素の数は、それぞれ１つに限らない。例えば、防霜ファン１１は、１本の建柱１００に対して複数設けてもよく、防霜ファン１１を備える建柱１００を圃場に複数本設けてもよい。また、１つ、又は複数の制御装置１４が複数の防霜ファン１１および発電機１５を制御してもよい。
【００２７】
制御装置１４の機能構成について図２および図３を用いて説明する。図２に示すように、制御装置１４の構成は、種類取得部１４１、記憶部１４２、検出信号受信部１４３、生育ステージ判定部１４４および防霜ファン制御部１４５を備える。これらの機能は、図３に示すコントロールＢＯＸ４３などが実現する。
【００２８】
コントロールＢＯＸ４３は、例えば、ＣＰＵ（Central Processing Unit）、ＲＡＭ（Random-Access Memory）、不揮発性メモリ、他の装置と接続するインタフェースなどから構成される。ＣＰＵは、不揮発性メモリに記憶されている制御プログラムをＲＡＭにロードする。ＣＰＵは、ロードした制御プログラムに従って、種類取得部１４１、検出信号受信部１４３、生育ステージ判定部１４４および防霜ファン制御部１４５の各処理を実行する。記憶部１４２は不揮発性メモリに構成される。
【００２９】
バッテリ１８は、太陽光パネル１６が発電した電気を蓄電し、制御装置１４に電力を供給する。バッテリ１８は、制御装置１４の内部に備えてもよい。
【００３０】
図２に戻り、種類取得部１４１は、圃場で栽培する農作物Ａの種類を示す種類情報を取得する。種類取得部１４１は、タッチパネルやボタン等の入力装置で構成されてもよいし、種類情報を受信する通信装置で構成されてもよい。また、圃場で栽培する農作物Ａの種類が確定しており、その種類の農作物専用の防霜装置１−１とする場合には、制御装置１４は、種類取得部１４１を備えなくてもよい。
【００３１】
記憶部１４２は、種類取得部１４１が取得した種類情報を記憶する。記憶部１４２は、生育ステージを判定するための基準を示す基準情報と、農作物の種類別の生育ステージごとの生育限界温度を示す生育限界温度情報とを予め記憶している。基準情報および生育限界温度情報の詳細は後述する。
【００３２】
検出信号受信部１４３は、温度センサ１２から検出値（低所平均温度）を示す信号を受信する。検出信号受信部１４３は、低所平均温度を示す低所平均温度情報を、記憶部１４２に記憶する。
【００３３】
生育ステージ判定部１４４は、記憶部１４２に記憶された低所平均温度情報が示す低所平均温度に基づいて、農作物Ａの現在の生育ステージを判定する。
【００３４】
生育ステージの判定方法について、その一例を説明する。生育ステージ判定部１４４は、低所平均温度が基準温度を超えたか否かを判定する。低所平均温度が基準温度を超えた場合、生育ステージ判定部１４４は、基準温度と低所平均温度との差分を計算し、計算開始日から本日までの累積値を計算する。以下、「累積値」は、基準温度と低所平均温度との差分の計算開始日から本日までの累積値を指す。農作物の種類別に、生育ステージごとの累積値の範囲が決まっており、生育ステージ判定部１４４は、算出した累積値が含まれる範囲の生育ステージに達したと判定する。
【００３５】
記憶部１４２が記憶する基準情報は、農作物の種類別の基準温度を示す基準温度情報と、農作物の種類別の生育ステージごとの累積値の範囲を示す生育ステージ情報とを含む。
【００３６】
ここで、記憶部１４２が記憶する基準情報に含まれる生育ステージ情報について図４を用いて説明する。例えば、茶は、「萌芽前」、「萌芽期」、「一葉期」、「二葉期」、「三葉期」、「四葉期」、「五葉期」、および、「摘採期」の生育ステージがある。それぞれの生育ステージに達する累積値の範囲は、０℃〜４０℃、４１℃〜５０℃、５１℃〜８０℃、８０℃〜１２０℃、１２１℃〜１８０℃、１８１℃〜２３０℃、２３１℃〜２８０℃、および、２８１℃〜３１０℃である。記憶部１４２は、図３に示すような生育ステージごとの累積値の範囲を示す生育ステージ情報と、基準温度を示す基準温度情報とを、農作物の種類別に基準情報として記憶している。
【００３７】
図２に戻り、生育ステージ判定部１４４は、まず、記憶部１４２に記憶された種類情報を参照し、農作物Ａの種類の基準温度情報および生育ステージ情報を特定する。生育ステージ判定部１４４は、低所平均温度情報が記憶部１４２に記憶されると、低所平均温度情報と、農作物Ａの種類の基準温度情報とに基づいて、累積値を計算する。生育ステージ判定部１４４は、農作物Ａの種類の生育ステージ情報を参照し、累積値に基づいて、農作物Ａが現在どの生育ステージにあるかを判定する。
【００３８】
生育ステージ判定部１４４は、農作物Ａの現在の生育ステージを示す生育情報を防霜ファン制御部１４５に送る。なお、生育ステージ判定部１４４は、前回判定した生育ステージと今回判定した生育ステージとを比較し、生育ステージが変わったときにのみ生育情報を防霜ファン制御部１４５に送るようにしてもよい。
【００３９】
防霜ファン制御部１４５は、生育ステージ判定部１４４から生育情報を受け取ると、記憶部１４２が記憶する生育限界温度情報を参照し、農作物Ａの生育限界温度に基づいて第１設定温度を決定する。
【００４０】
ここで、記憶部１４２が記憶する生育限界温度情報について図５を用いて説明する。図５には、一例として刊行物より引用した茶の生育限界温度を示している。茶の生育ステージ「萌芽前」、「萌芽期」、「一葉期」、「二葉期」、「三葉期」、「四葉期」、「五葉期」、および、「摘採期」に対してそれぞれ、生育限界温度として、−４．６℃、−３．０℃、−２．０℃、−２．０℃、−２．０℃、−１．８℃、−１．７℃、および、−２．５℃が設定されている。記憶部１４２は、図５に示すような生育ステージごとの生育限界温度を示す生育限界温度情報を、農作物の種類別に、記憶している。
【００４１】
図２に戻り、第１設定温度を決定する具体的な方法について説明する。防霜ファン制御部１４５は、まず、記憶部１４２に記憶された種類情報を参照し、農作物Ａの種類の生育限界温度情報を特定する。防霜ファン制御部１４５は、生育ステージ判定部１４４から生育情報を受け取ると、農作物Ａの種類の生育限界温度情報を参照し、農作物Ａの現在の生育ステージに対応する生育限界温度に基づいて、第１設定温度を決定する。第１設定温度は、例えば、早めに対応することを考慮して、生育限界温度＋３．０℃とする。例えば、農作物Ａの種類が茶であって、現在の生育ステージが萌芽期であった場合、生育限界温度は−３．０℃（図５参照）であるので、第１設定温度を０．０℃とする。
【００４２】
防霜ファン制御部１４５は、低所平均温度情報が記憶部１４２に記憶されると、低所平均温度が、第１設定温度より低いか否かを判定する。防霜ファン制御部１４５は、低所平均温度が第１設定温度より低い場合に、発電機１５に運転信号を送信する。運転信号を受けた発電機１５は起動し、安定して電力が供給できる状態になると、発電確立信号を制御装置１４に送信する。防霜ファン制御部１４５は、発電機１５から発電確立信号を受信すると、電磁開閉器をＯＮにして、発電機１５の電力を防霜ファン１１に供給し、防霜ファン１１の運転を開始する。防霜ファン制御部１４５は、低所平均温度が第１設定温度＋γ以上になると、運転信号の送信を停止する。防霜ファン制御部１４５は、電磁開閉器をＯＦＦにして、発電機１５の電力の防霜ファン１１への供給を停止し、防霜ファン１１の運転を停止する。なお、防霜ファン制御部１４５は、発電機１５からの発電確立信号を受信しなくなったとき、および／又は、発電機１５から発電異常信号を受信したときにも、防霜ファン１１の運転を停止してもよい。
【００４３】
図３を用いて、制御装置１４による防霜ファン１１Ａ〜防霜ファン１１Ｃの電源制御の一例について説明する。コントロールＢＯＸ４３は、温度センサ１２（図示せず）の検出値である低所平均温度が第１設定温度より低い場合、発電機１５に運転信号を送信する。運転信号を受けた発電機１５は起動し、安定して電力が供給できる状態になると、発電確立信号を制御装置１４に送信する。コントロールＢＯＸ４３は、発電機１５から発電確定信号を受信すると、電磁開閉器４４をＯＮにする。図３の例では、コントロールＢＯＸ４３は、順送タイマ４８Ａおよび順送タイマ４８Ｂを用いて、時間差で電磁開閉器４４Ａ、電磁開閉器４４Ｂおよび電磁開閉器４４Ｃの順にＯＮにする。発電機１５の電力は、防霜ファン１１Ａ、防霜ファン１１Ｂおよび防霜ファン１１Ｃの順に時間差で供給される。防霜ファン１１Ａ、防霜ファン１１Ｂおよび防霜ファン１１Ｃは、時間差で運転を開始する。なお、防霜ファン１１Ａ、防霜ファン１１Ｂおよび防霜ファン１１Ｃが同じタイミングで運転を開始する場合には、制御装置１４は、電磁開閉器４４Ｃ、電磁開閉器４４Ｂおよび電磁開閉器４４Ａ、ならびに、順送タイマ４８Ａおよび順送タイマ４８Ｂを備えなくてもよい。
【００４４】
コントロールＢＯＸ４３は、低所平均温度が第１設定温度＋γ以上になると、運転信号の送信を停止し、電磁開閉器４４Ｃ、電磁開閉器４４Ｂ、電磁開閉器４４Ａおよび電磁開閉器４４をＯＦＦにする。発電機１５は、運転信号を受信しなくなると停止する。防霜ファン１１Ｃ、防霜ファン１１Ｂおよび防霜ファン１１Ａへの発電機１５の電力の供給が停止され、防霜ファン１１Ａ、防霜ファン１１Ｂおよび防霜ファン１１Ｃは、運転を停止する。また、コントロールＢＯＸ４３は、低所平均温度が第１設定温度＋γ以上になったときだけでなく、発電機１５からの発電確立信号を受信しなくなったとき、および／又は、発電機１５から発電異常信号を受信したときにも、電磁開閉器４４Ｃ、電磁開閉器４４Ｂ、電磁開閉器４４Ａおよび電磁開閉器４４をＯＦＦにしてもよい。
【００４５】
漏電遮断器４５は、漏電を検知した際に回路を遮断する。配線遮断器４６Ａ、配線遮断器４６Ｂおよび配線遮断器４６Ｃは、過電流を検知した際に回路を遮断する。トランス４７は、発電機１５の電力を、防霜ファン１１Ａ、防霜ファン１１Ｂおよび防霜ファン１１Ｃの制御電圧（ＡＣ２００Ｖ）に変圧して供給する。
【００４６】
制御装置１４は１つの装置に限らず、複数の装置で実現してもよい。例えば、図２に示す防霜ファン制御部１４５の機能を備える防霜ファン制御装置を設けてもよい。防霜ファン制御装置は、例えば、図３に示す制御装置１４と同様の構成である。
【００４７】
続いて、制御装置１４が実行する主な処理である、生育ステージ判定処理および発電機制御処理の例について図６および図７を用いて説明する。まず、制御装置１４が実行する生育ステージ判定処理の流れを、図６を用いて説明する。図６に示す生育ステージ判定処理は、制御装置１４にバッテリ１８から電源が投入されたことで開始する。制御装置１４の生育ステージ判定部１４４は、低所平均温度情報が記憶部１４２に記憶されたか否かを判定する（ステップＳ１１）。
【００４８】
低所平均温度情報が記憶部１４２に記憶されない場合（ステップＳ１１；ＮＯ）、生育ステージ判定部１４４は、ステップＳ１１を繰り返して、低所平均温度情報が記憶部１４２に記憶されるのを待機する。低所平均温度情報が記憶部１４２に記憶されると（ステップＳ１１；ＹＥＳ）、生育ステージ判定部１４４は、記憶部１４２が記憶する種類情報および基準情報に含まれる基準温度情報を参照し、低所平均温度が基準温度を超えるか否かを判定する（ステップＳ１２）。低所平均温度が基準温度を超えない場合（ステップＳ１２；ＮＯ）、生育ステージ判定部１４４は、ステップＳ１１およびステップＳ１２を繰り返して低所平均温度が基準温度を超えるのを待機する。低所平均温度が基準温度を超える場合（ステップＳ１２；ＹＥＳ）、生育ステージ判定部１４４は、基準温度と低所平均温度との差分を計算し（ステップＳ１３）、累積値を計算する（ステップＳ１４）。
【００４９】
生育ステージ判定部１４４は、農作物Ａの種類の基準情報に含まれる生育ステージ情報を参照し、農作物Ａの現在の生育ステージを判定する（ステップＳ１５）。生育ステージ判定部１４４は、農作物Ａの現在の生育ステージを示す生育情報を防霜ファン制御部１４５に送る（ステップＳ１６）。制御装置１４の電源がＯＦＦになっていなければ（ステップＳ１７；ＮＯ）、ステップＳ１１に戻り、ステップＳ１１〜ステップＳ１７を繰り返す。電源がＯＦＦになった場合（ステップＳ１７；ＹＥＳ）、処理を終了する。生育ステージ判定部１４４が、生育ステージが変わったときにのみ生育情報を防霜ファン制御部１４５に送る構成では、ステップＳ１５の後に、前回判定した生育ステージと今回判定した生育ステージとを比較するステップを設け、生育ステージが変わったときにのみステップＳ１６に移行する。
【００５０】
ステップＳ１６で、生育情報を受け取った防霜ファン制御部１４５は、記憶部１４２が記憶する種類情報および生育限界温度情報を参照し、農作物Ａの現在の生育ステージに対応する生育限界温度に基づいて、第１設定温度を決定する。
【００５１】
続いて、制御装置１４が実行する発電機制御処理の流れを、図７を用いて説明する。図７に示す発電機制御処理は、制御装置１４にバッテリ１８から電源が投入されたことで開始する。図７では、低所平均温度をＬ、第１設定温度をαとする。制御装置１４の防霜ファン制御部１４５は、低所平均温度Ｌが、第１設定温度αより低いか否かを判定する（ステップＳ２１）。
【００５２】
低所平均温度Ｌが、第１設定温度α以上である場合（ステップＳ２１；ＮＯ）、防霜ファン制御部１４５は、ステップＳ２１を繰り返して、低所平均温度Ｌが、第１設定温度αより低くなるのを待機する。低所平均温度Ｌが、第１設定温度αより低い場合（ステップＳ２１；ＹＥＳ）、防霜ファン制御部１４５は、発電機１５に運転信号を送信する（ステップＳ２２）。発電機１５は、運転信号を受けて起動し、安定して電力が供給できる状態になると、発電確立信号を制御装置１４に送信する。発電機１５から発電確立信号を受信しない場合（ステップＳ２３；ＮＯ）、防霜ファン制御部１４５は、ステップＳ２３を繰り返して、発電確立信号の受信を待機する。発電機１５から発電確立信号を受信した場合（ステップＳ２３；ＹＥＳ）、防霜ファン制御部１４５は、電磁開閉器をＯＮにして、発電機１５の電力を防霜ファン１１に供給し、防霜ファン１１の運転を開始する（ステップＳ２４）。
【００５３】
低所平均温度Ｌが、第１設定温度α＋γより低い場合（ステップＳ２５；ＮＯ）、防霜ファン制御部１４５は、ステップＳ２５を繰り返して、低所平均温度Ｌが、第１設定温度α＋γ以上になるのを待機する。低所平均温度Ｌが、第１設定温度α＋γ以上になった場合（ステップＳ２５；ＹＥＳ）、防霜ファン制御部１４５は、発電機１５への運転信号の送信を停止する（ステップＳ２６）。発電機１５は、運転信号を受信しなくなると停止する。防霜ファン制御部１４５は、電磁開閉器をＯＦＦにして、発電機１５の電力の防霜ファン１１への供給を停止し、防霜ファン１１の運転を停止する（ステップＳ２７）。制御装置１４の電源がＯＦＦになっていなければ（ステップＳ２８；ＮＯ）、ステップＳ２１に戻り、ステップＳ２１〜ステップＳ２８を繰り返す。電源がＯＦＦになった場合（ステップＳ２８；ＹＥＳ）、処理を終了する。
【００５４】
ステップＳ２５；ＮＯのとき、防霜ファン制御部１４５は、発電機１５からの発電確立信号を受信しなくなった、又は、発電機１５から発電を停止したことを示す発電異常信号を受信したか否かを判定し、発電機１５からの発電確立信号を受信しなくなった、又は、発電機１５から発電異常信号を受信した場合にはステップＳ２６に移行するようにしてもよい。
【００５５】
実施の形態１に係る防霜装置１−１によれば、外部電源の確保が難しい場所でも防霜ファンが使用可能になる。また、農作物Ａの現在の生育ステージに対応する生育限界温度に基づいて、第１設定温度を決定することで、自然環境の変化に伴う農作物の生育ステージの変化に対応できる防霜装置を提供することができる。
【００５６】
（実施の形態２）
実施の形態２では、防霜装置１−２は差温動作機能を有する。差温動作機能とは、逆転層Ｘが発生していると推定されるときにのみ防霜ファン１１を稼働させる機能である。
【００５７】
図８は、本発明の実施の形態２に係る防霜装置１−２の構成を示す模式図である。実施の形態２の防霜装置１−２は、実施の形態１の防霜装置１−２に建柱１００の上部に設けた温度センサ１３が追加される。
【００５８】
温度センサ１３は、逆転層Ｘの生じる高さの気温を検出する。温度センサ１３は、逆転層Ｘの生じる高さの気温の測定値の１日の平均値を計算する。以下、温度センサ１３の測定値の１日の平均値を高所平均温度という。温度センサ１３は、高所平均温度を検出値として制御装置１４に送信する。なお、温度センサ１３は測定値を制御装置１４に送信し、制御装置１４が１日の平均値を計算する処理を行ってもよい。温度センサ１３は、例えば、防霜ファン１１の風、及び／又は、自然風の影響を受けない位置に設ける。温度センサ１３は、本発明における第２センサの例である。
【００５９】
制御装置１４は、差温動作機能を有する。通常、高度の上昇に伴い気温は低下するので、高所平均温度＜低所平均温度となる。したがって、高所平均温度＞低所平均温度となった場合、高所平均温度と低所平均温度とに、通常の高度差に伴う温度差と逆の差があるので、温度センサ１３の高度周辺に逆転層Ｘが生じていると推定できる。そこで、制御装置１４は、低所平均温度＜第１設定温度であって、かつ、高所平均温度−低所平均温度＞第２設定温度である場合に、防霜が有効となる逆転層Ｘが生じていると判断し、発電機１５を起動して防霜ファン１１の運転を開始する。第２設定温度は予め決められているものとする。制御装置１４は、高所平均温度−低所平均温度の検出値≦第２設定温度−ηになった場合、又は、低所平均温度≧第１設定温度＋γになった場合に、逆転層Ｘが生じていない又は防霜が有効でないと判断し、発電機１５を停止して防霜ファン１１の運転を停止する。ただし、制御装置１４は、高所平均温度−低所平均温度の検出値≦第２設定温度である場合であっても、低所平均温度＜生育限界温度である場合には、防霜ファン１１を稼働させる。その他の構成は、実施の形態１と同様である。
【００６０】
実施の形態２の制御装置１４の機能構成について図９を用いて説明する。実施の形態２の制御装置１４の機能構成は、実施の形態１の制御装置１４と同様である。
【００６１】
検出信号受信部１４３は、温度センサ１２からの検出値（低所平均温度）を示す信号に加え、温度センサ１３からの検出値（高所平均温度）を示す信号を受信する。検出信号受信部１４３は、低所平均温度を示す低所平均温度情報および高所平均温度を示す高所平均温度情報を、制御装置１４の記憶部１４２に記憶する。
【００６２】
防霜ファン制御部１４５は、低所平均温度情報および高所平均温度情報が記憶部１４２に記憶されると、低所平均温度が第１設定温度より低く、かつ、高所平均温度から低所平均温度を減算した値が第２設定温度より大きい場合に、発電機１５に運転信号を送信する。運転信号を受けた発電機１５は起動し、安定して電力が供給できる状態になると、発電確立信号を制御装置１４に送信する。防霜ファン制御部１４５は、発電機１５から発電確立信号を受信すると、電磁開閉器をＯＮにして、発電機１５の電力を防霜ファン１１に供給し、防霜ファン１１の運転を開始する。
【００６３】
防霜ファン制御部１４５は、低所平均温度が第１設定温度＋γ以上になった場合、又は、高所平均温度から低所平均温度を減算した値が第２設定温度−η以下になった場合に、発電機１５への運転信号の送信を停止する。ηは０以上の任意の値である。発電機１５は、運転信号を受信しなくなると停止する。防霜ファン制御部１４５は、電磁開閉器をＯＦＦにして、発電機１５の電力の防霜ファン１１への供給を停止し、防霜ファン１１の運転を停止する。その他の機能は、実施の形態１と同様である。
【００６４】
ここで、制御装置１４が実行する発電機制御処理について図１０を用いて説明する。図１０に示す発電機制御処理は、制御装置１４にバッテリ１８からの電源が投入されたことで開始する。図１０では、低所平均温度をＬ、高所平均温度をＨ、第１設定温度をα、第２設定温度をβとする。制御装置１４の防霜ファン制御部１４５は、低所平均温度Ｌが、第１設定温度αより低いか否かを判定する（ステップＳ３１）。
【００６５】
低所平均温度Ｌが、第１設定温度α以上である場合（ステップＳ３１；ＮＯ）、防霜ファン制御部１４５は、ステップＳ３１を繰り返して、低所平均温度Ｌが、第１設定温度αより低くなるのを待機する。低所平均温度Ｌが、第１設定温度αより低い場合（ステップＳ３１；ＹＥＳ）、防霜ファン制御部１４５は、高所平均温度Ｈから低所平均温度Ｌを減算した値が、第２設定温度βより大きいか否かを判定する（ステップＳ３２）。
【００６６】
高所平均温度Ｈから低所平均温度Ｌを減算した値が、第２設定温度β以下である場合（ステップＳ３２；ＮＯ）、処理はステップＳ４０に移行する。高所平均温度Ｈから低所平均温度Ｌを減算した値が、第２設定温度βより大きい場合（ステップＳ３２；ＹＥＳ）、防霜ファン制御部１４５は、発電機１５に運転信号を送信する（ステップＳ３３）。発電機１５は、運転信号を受けて起動し、安定して電力が供給できる状態になると、発電確立信号を制御装置１４に送信する。発電機１５から発電確立信号を受信しない場合（ステップＳ３４；ＮＯ）、防霜ファン制御部１４５は、ステップＳ３４を繰り返して、発電確立信号の受信を待機する。発電機１５から発電確立信号を受信した場合（ステップＳ３４；ＹＥＳ）、防霜ファン制御部１４５は、電磁開閉器をＯＮにして、発電機１５の電力を防霜ファン１１に供給し、防霜ファン１１の運転を開始する（ステップＳ３５）。
【００６７】
高所平均温度Ｈから低所平均温度Ｌを減算した値が、第２設定温度β−ηより大きい場合（ステップＳ３６；ＮＯ）、防霜ファン制御部１４５は、低所平均温度Ｌが、第１設定温度α＋γ以上であるか否かを判定する（ステップＳ３７）。低所平均温度Ｌが、第１設定温度α＋γより低い場合（ステップＳ３７；ＮＯ）、防霜ファン制御部１４５は、ステップＳ３６およびステップＳ３７を繰り返し、高所平均温度Ｈから低所平均温度Ｌを減算した値が、第２設定温度β−η以下になるか、又は、低所平均温度Ｌが、第１設定温度α＋γ以上になるのを待機する。
【００６８】
高所平均温度Ｈから低所平均温度Ｌを減算した値が、第２設定温度β−η以下になった場合（ステップＳ３６；ＹＥＳ）、又は、低所平均温度Ｌが、第１設定温度α＋γ以上になった場合（ステップＳ３７；ＹＥＳ）、防霜ファン制御部１４５は、発電機１５への運転信号の送信を停止する（ステップＳ３８）。発電機１５は、運転信号を受信しなくなると停止する。防霜ファン制御部１４５は、発電機１５から防霜ファン１１への供給を停止し、防霜ファン１１の運転を停止する（ステップＳ３９）。制御装置１４の電源がＯＦＦになっていなければ（ステップＳ４０；ＮＯ）、ステップＳ３１に戻り、ステップＳ３１〜ステップＳ４０を繰り返す。電源がＯＦＦになった場合（ステップＳ４０；ＹＥＳ）、処理を終了する。
【００６９】
ステップＳ３７；ＮＯのとき、防霜ファン制御部１４５は、発電機１５からの発電確立信号を受信しなくなった、又は、発電機１５から発電を停止したことを示す発電異常信号を受信したか否かを判定し、発電機１５からの発電確立信号を受信しなくなった、又は、発電機１５から発電異常信号を受信した場合にはステップＳ３８に移行するようにしてもよい。
【００７０】
実施の形態２に係る防霜装置１−２によれば、外部電源が確保できない場所でも、防霜ファンが使用可能になる。また、逆転層Ｘが発生していると推定されるときにのみ防霜ファンを稼働させることで、省電力化を図ることができる。
【００７１】
（実施の形態３）
実施の形態２では、防霜装置１−３は、低所平均温度＜第１設定温度の場合であっても、高所平均温度−低所平均温度の検出値≦第２設定温度である場合、つまり、逆転層Ｘが発生していない場合には、発電機１５を起動させず、防霜ファン１１を稼働させない。ただし、制御装置１４は、高所平均温度−低所平均温度の検出値≦第２設定温度である場合であっても、低所平均温度＜生育限界温度である場合には、防霜ファン１１を稼働させる。これに対し、実施の形態３では、低所平均温度＜第１設定温度の場合であって、高所平均温度−低所平均温度の検出値≦第２設定温度である場合には、防霜ファン１１以外の防霜手段を稼働させてもよい。
【００７２】
図１１は、本発明の実施の形態３に係る防霜装置および圃場の模式図である。防霜装置１−３は、防霜装置１−２の構成に加え、圃場の暖房として、温度上昇用のヒータ１７をさらに備える。制御装置１４は、低所平均温度＜第１設定温度であって、かつ、高所平均温度−低所平均温度の検出値≦第２設定温度である場合には、ヒータ１７の運転を開始する。制御装置１４は、低所平均温度≧第１設定温度＋γになった場合、又は、高所平均温度−低所平均温度の検出値＞第２設定温度＋ηになった場合、ヒータ１７の運転を停止する。
【００７３】
実施の形態３の制御装置１４の機能構成について図１２を用いて説明する。実施の形態３の制御装置１４の構成は、実施の形態２の制御装置１４と同様である。
【００７４】
防霜ファン制御部１４５は、低所平均温度情報および高所平均温度情報が記憶部１４２に記憶されると、低所平均温度が第１設定温度より低く、かつ、高所平均温度から低所平均温度を減算した値が第２設定温度以下である場合は、ヒータ１７の電源をＯＮにする。防霜ファン制御部１４５は、低所平均温度が、第１設定温度＋γ以上になった場合、又は、高所平均温度から低所平均温度を減算した値が第２設定温度＋ηより大きくなった場合は、ヒータ１７の電源をＯＦＦにする。その他の機能は、実施の形態２と同様である。
【００７５】
ヒータ１７の電源は、発電機１５でもよいし、バッテリ１８でもよいし、発電機１５が備えるセルモータ起動用のバッテリでもよいし、自身が備えるバッテリでもよい。
【００７６】
ここで、制御装置１４が実行する発電機ヒータ制御処理について図１３を用いて説明する。図１３に示す発電機ヒータ制御処理は、制御装置１４に電源が投入されたことで開始する。図１３では、低所平均温度をＬ、高所平均温度をＨ、第１設定温度をα、第２設定温度をβとする。ステップＳ５１〜ステップＳ５９は、図１０に示すステップＳ３１〜ステップＳ３９と同様であるので説明を省略する。
【００７７】
ステップＳ５２で、高所平均温度Ｈから低所平均温度Ｌを減算した値が、第２設定温度β以下であった場合、防霜ファン制御部１４５は、ヒータ１７の運転を開始する（ステップＳ６０）。防霜ファン制御部１４５は、高所平均温度Ｈから低所平均温度Ｌを減算した値が、第２設定温度β＋η以下であって（ステップＳ６１；ＮＯ）、かつ、低所平均温度Ｌが、第１設定温度α＋γより低い場合（ステップＳ６２；ＮＯ）、ステップＳ６１およびステップＳ６２を繰り返し、高所平均温度Ｈから低所平均温度Ｌを減算した値が、第２設定温度β＋ηより大きくなる、又は、低所平均温度Ｌが、第１設定温度α＋γ以上になるのを待機する。
【００７８】
高所平均温度Ｈから低所平均温度Ｌを減算した値が、第２設定温度β＋ηより大きくなった場合（ステップＳ６１；ＹＥＳ）、又は、低所平均温度Ｌが、第１設定温度α＋γ以上になった場合（ステップＳ６２；ＹＥＳ）、防霜ファン制御部１４５は、ヒータ１７の運転を停止する（ステップＳ６３）。制御装置１４の電源がＯＦＦになっていなければ（ステップＳ６４；ＮＯ）、ステップＳ５１に戻り、ステップＳ５１〜ステップＳ６４を繰り返す。電源がＯＦＦになった場合（ステップＳ６４；ＹＥＳ）、処理を終了する。
【００７９】
実施の形態３に係る防霜装置１−３によれば、外部電源が確保できない場所でも防霜ファンが使用可能になる。また、逆転層Ｘが発生していない場合も、農作物Ａの凍霜害を防ぐことができる。
【００８０】
上記の実施の形態では、圃場の農作物Ａの生育ステージに対応する生育限界温度に基づいて、第１設定温度を決定したが、これに限らない。第１設定温度は、圃場の農作物Ａの生育ステージに対応して決定されればよい。例えば、茶の「萌芽前」、「萌芽期」、「一葉期」、「二葉期」、「三葉期」、「四葉期〜摘採期」、に対応する第１設定温度はそれぞれ、１℃、２℃、３℃、４℃、５℃、６℃、といったように予め決められていてもよい。この場合、制御装置１４の記憶部１４２は、生育限界温度情報の代わりに農作物の種類別の生育ステージごとに予め決められた第１設定温度を示す第１設定温度情報を記憶する。
【００８１】
上記の実施の形態では、累積値を用いて生育ステージを判定したが、これに限らない。農作物Ａの葉面、又は葉面近傍の温度から農作物の生育ステージを判定できる方法であればその他の方法であってもよい。
【００８２】
上記の実施の形態１では、制御装置１４の防霜ファン制御部１４５は、温度センサ１２の測定値の１日の平均値である低所平均温度に基づいて、防霜ファン１１を運転するか否かを判定したが、これに限らない。例えば、防霜ファン制御部１４５は、温度センサ１２の測定値の１時間の平均値に基づいて、防霜ファン１１を運転するか否かを判定してもよい。これにより、例えば、気温が下がる朝方の時間帯のみ第１設定温度を下回るような場合に、効率的に防霜ファン１１を運転させることができる。実施の形態２および３においても同様に、低所平均温度の１時間の平均値および高所平均温度の１時間の平均値に基づいて、発電機１５を制御してもよい。
【００８３】
上記の実施の形態１では、制御装置１４は、低所平均温度が第１設定温度より低いとき、発電機１５に運転信号を連続的に送信し、低所平均温度が第１設定温度＋γ以上になると、発電機１５への運転信号の送信を停止するが、これに限らない。制御装置１４は、低所平均温度が第１設定温度より低いとき、発電機１５に運転信号を単発的に送信し、低所平均温度が第１設定温度＋γ以上になると、発電機１５に停止信号を単発的に送信してもよい。この場合、発電機１５は、運転信号を受信すると起動し、停止信号を受信すると運転を停止する。
【００８４】
本発明は、本発明の広義の精神と範囲を逸脱することなく、様々な実施の形態および変形が可能とされるものである。また、上述した実施の形態は、本発明を説明するためのものであり、本発明の範囲を限定するものではない。本発明の範囲は、実施の形態ではなく、特許請求の範囲によって示される。そして、特許請求の範囲内およびそれと同等の発明の意義の範囲内で施される様々な変形が、本発明の範囲内とみなされる。
【符号の説明】
【００８５】
１−１，１−２，１−３  防霜装置
１１，１１Ａ，１１Ｂ，１１Ｃ  防霜ファン
１２，１３  温度センサ
１４  制御装置
１５  発電機
１６  太陽光パネル
１７  ヒータ
１８  バッテリ
４３  コントロールＢＯＸ
４４，４４Ａ，４４Ｂ，４４Ｃ  電磁開閉器
４５  漏電遮断器
４６Ａ，４６Ｂ，４６Ｃ  配線遮断器
４７  トランス
４８Ａ，４８Ｂ  順送タイマ
１００  建柱
１４１  種類取得部
１４２  記憶部
１４３  検出信号受信部
１４４  生育ステージ判定部
１４５  防霜ファン制御部
Ａ  農作物
Ｘ  逆転層
【図１】
0006842133.tif 000002
【図２】
0006842133.tif 000003
【図３】
0006842133.tif 000004
【図４】
0006842133.tif 000005
【図５】
0006842133.tif 000006
【図６】
0006842133.tif 000007
【図７】
0006842133.tif 000008
【図８】
0006842133.tif 000009
【図９】
0006842133.tif 000010
【図１０】
0006842133.tif 000011
【図１１】
0006842133.tif 000012
【図１２】
0006842133.tif 000013
【図１３】
0006842133.tif 000014